(57)【要約】【課題】押し釦を押すことなく、エアゾール容器から毛髪化粧料を吐出させ、同時に毛髪を梳かせるようにする。【解決手段】毛髪化粧料吐出容器１Ａが、それぞれチルトバルブを備えた第１のエアゾール容器３ａと第２のエアゾール容器３ｂ、第１のエアゾール容器３ａと第２のエアゾール容器３ｂに冠着してこれらを連結する冠着部１０、冠着部１０に傾倒可能に取り付けられ、傾倒により第１のエアゾール容器のチルトバルブと第２のエアゾール容器のチルトバルブとを開閉する釦部２０、釦部２０上に設けられ、複数の櫛歯が形成された櫛歯部３０からなり、エアゾール容器３ａ、３ｂに連通する毛髪化粧料の吐出孔が櫛歯間又は櫛歯内に形成されている。好ましくは、釦部２０又は櫛歯部３０が、毛髪化粧料の第１剤の流路２３と第２剤の流路２３に連通した混合分配室２４を有し、板状櫛歯３１が、混合分配室２４に連通した吐出孔３４を有する。【選択図】    図１
2004154459.tif 000002
【特許請求の範囲】
【請求項１】
チルトバルブを備えたエアゾール容器、
エアゾール容器に冠着した冠着部、
冠着部に傾倒可能に取り付けられ、傾倒によりチルトバルブを開閉する釦部、及び
釦部上に設けられた、複数の櫛歯が形成された櫛歯部からなり、
エアゾール容器に連通する毛髪化粧料の吐出孔が、櫛歯間又は櫛歯内に形成されている毛髪化粧料吐出容器。
【請求項２】
釦部又は櫛歯部が、前記流路に連通した分配室を有し、櫛歯部が、分配室に連通した吐出孔を有する請求項１記載の毛髪化粧料吐出容器。
【請求項３】
チルトバルブを備えたエアゾール容器として、第１のエアゾール容器と第２のエアゾール容器を有し、
冠着部が、第１のエアゾール容器と第２のエアゾール容器を連結し、
釦部が、第１のエアゾール容器から吐出された毛髪化粧料の第１剤の流路と第２のエアゾール容器から吐出された毛髪化粧料の第２剤の流路を有し、
釦部又は櫛歯部が、前記第１剤の流路と第２剤の流路に連通した混合分配室を有し、
櫛歯が、混合分配室に連通した吐出孔を有する請求項１記載の毛髪化粧料吐出容器。
【請求項４】
櫛歯部において、櫛歯が板状櫛歯であり、該板状櫛歯がその厚み方向に列設されている請求項１〜３のいずれかに記載の毛髪化粧料吐出容器。
【請求項５】
エアゾール容器のステムの起立方向と櫛歯の起立方向とが略平行であり、櫛歯の起立方向に略垂直な一軸を回転中心として釦部が傾倒するように、冠着部と釦部に掛合部が設けられている請求項１〜４のいずれかに記載の毛髪化粧料吐出容器。
【請求項６】
エアゾール容器のステムの起立方向と櫛歯の起立方向とが略垂直であり、櫛歯の起立方向とステムの起立方向とを含む面に略垂直な一軸を回転中心として釦部が傾倒するように、冠着部と釦部に掛合部が設けられている請求項１〜４のいずれかに記載の毛髪化粧料吐出容器。
【請求項７】
請求項１〜６のいずれかに記載の毛髪化粧料吐出容器のエアゾール容器に毛髪化粧料と噴射剤が充填されている毛髪化粧料塗布具。
【請求項８】
請求項３〜６のいずれかに記載の毛髪化粧料吐出容器の第１のエアゾール容器に毛髪化粧料の第１剤と噴射剤が充填され、第２のエアゾール容器に毛髪化粧料の第２剤と噴射剤が充填されている毛髪化粧料塗布具。
【発明の詳細な説明】
【０００１】
【発明の属する技術分野】
本発明は、チルトバルブを備えたエアゾール容器に櫛歯部を取り付けた毛髪化粧料吐出容器に関する。
【０００２】
【従来の技術】
従来、二剤形式の毛髪化粧料として、酸化染料を含有する第１剤と、過酸化水素等の酸化剤を含有する第２剤とからなる二剤形式の染毛剤が知られている。また、アルカリ剤を含有する第１剤と、過酸化水素を含有する第２剤とからなる二剤形式のヘアブリーチが知られている。このような二剤形式の毛髪化粧料では、保存安定性の点から、第１剤と第２剤とがそれぞれ別個の容器に収容され、使用時に第１剤と第２剤とが混合される。
【０００３】
毛髪化粧料の使用時に第１剤と第２剤を同時に吐出させ、かつ第１剤と第２剤の混合液が櫛型吐出具から吐出されるようにした吐出容器として、特許文献１には、一対のエアゾール容器から吐出させた第１剤と第２剤を櫛型吐出具内の一つの混合室内に導入し、次いでその混合液を、各櫛歯に形成されている流路に通し、その流路の一端となる吐出孔から吐出させるものが提案されている。この吐出容器では、櫛型吐出具に設けた押釦を押圧し又はその押圧を解除することにより、エアゾール容器のステムの押し込み又はその解除を行い、エアゾール容器を開閉するので、毛髪化粧料の二剤を同時に吐出させることと毛髪を梳かすこととの双方を行うことが可能となる。
【０００４】
しかしながら、毛髪を梳かしながら毛髪化粧料を吐出させる場合に、押釦を押す操作が必要となるので煩雑である。
【０００５】
一方、エアゾール容器の一形態としてチルトバルブを備えたものがある。一般に、エアゾール容器では、バルブに取り付けられているステムを押し込むことによりバルブが開口し、密封されていた容器から内容物が吐出するのに対し、チルトバルブを備えたエアゾール容器では、チルトバルブに取り付けられているステムを任意の方向に傾倒させることによりチルトバルブが開口し、容器から内容物が吐出する。例えば、特許文献２には、チルトバルブを備えたエアゾール容器に育毛剤を充填し、また、チルトバルブ上のステムに、先端が球状になっているスパウト部材を取り付け、スパウト部材を頭皮に押しつけたり叩いたりすることによって、別途押釦を押すことなく育毛剤を頭皮に噴射させ、マッサージを行うことが記載されている。
【０００６】
しかしながら、このチルトバルブを備えたエアゾール容器を用いて毛髪を梳かすことはできない。
【０００７】
【特許文献１】特開２００２−３７２９１号公報
【特許文献２】特開２００１−１５８４８６号公報
【０００８】
【発明が解決しようとする課題】
本発明は、エアゾール容器から毛髪化粧料を吐出させることと毛髪を梳かすこととの双方を同時に簡便に行えるようにすることを目的とする。
【０００９】
【課題を解決するための手段】
本発明者は、チルトバルブを備えたエアゾール容器に毛髪化粧料を充填し、そのエアゾール容器に櫛歯部を設けることにより、エアゾール容器から毛髪化粧料を吐出させるために押釦を押す操作が不要となり、毛髪を梳かしつつ毛髪化粧料を吐出させられることを見出した。
【００１０】
即ち、本発明は、チルトバルブを備えたエアゾール容器、
エアゾール容器に冠着した冠着部、
冠着部に傾倒可能に取り付けられ、傾倒によりチルトバルブを開閉する釦部、及び
釦部上に設けられた、複数の櫛歯が形成された櫛歯部からなり、
エアゾール容器に連通する毛髪化粧料の吐出孔が、櫛歯間又は櫛歯内に形成されている毛髪化粧料吐出容器を提供し、特に、チルトバルブを備えたエアゾール容器として、第１のエアゾール容器と第２のエアゾール容器を有し、
冠着部が、第１のエアゾール容器と第２のエアゾール容器を連結し、
釦部が、第１のエアゾール容器から吐出された毛髪化粧料の第１剤の流路と第２のエアゾール容器から吐出された毛髪化粧料の第２剤の流路を有し、
釦部又は櫛歯部が、前記第１剤の流路と第２剤の流路に連通した混合分配室を有し、
櫛歯が、混合分配室に連通した吐出孔を有する毛髪化粧料吐出容器を提供する。
【００１１】
また、本発明は、上述の毛髪化粧料吐出容器のエアゾール容器に毛髪化粧料と噴射剤が充填されている毛髪化粧料塗布具を提供し、特に、第１のエアゾール容器に毛髪化粧料の第１剤と噴射剤が充填され、第２のエアゾール容器に毛髪化粧料の第２剤と噴射剤が充填されている毛髪化粧料塗布具を提供する。
【００１２】
【発明の実施の形態】
以下、図面を参照しつつ本発明を詳細に説明する。なお、各図中、同一の符号は同一又は同等の構成要素を表している。
【００１３】
図１は、本発明の一態様の毛髪化粧料吐出容器１Ａの斜視図、図２はその櫛歯部付近を櫛歯面に平行な面で切った断面図、図３はそのＡ−Ａ’断面図、図４は毛髪化粧料吐出容器１Ａの構成部品の断面図である。
【００１４】
この毛髪化粧料吐出容器１Ａは、第１のエアゾール容器３ａと第２のエアゾール容器３ｂ、第１のエアゾール容器３ａと第２のエアゾール容器３ｂに冠着してこれらを連結する冠着部１０、冠着部１０に取り付けられた釦部２０、釦部２０上に設けられた、複数の板状櫛歯３１が起立した櫛歯部３０からなっている。
【００１５】
第１のエアゾール容器３ａには、毛髪化粧料の第１剤が充填され、第２のエアゾール容器３ｂには、毛髪化粧料の第２剤が充填される。また、各エアゾール容器３ａ、３ｂには、それぞれステム４が傾倒することにより同時に開口するチルトバルブ２が設けられている。なお、この第１剤と第２剤としては、公知の二剤形式の毛髪化粧料の第１剤と第２剤を充填することができ、例えば、毛髪化粧料吐出容器１Ａから吐出させるものが二剤形式の染毛剤である場合、酸化染料を含有する第１剤と、過酸化水素等の酸化剤を含有する第２剤を充填することができる。また、毛髪化粧料吐出容器１Ａから吐出させるものが二剤形式のヘアブリーチである場合、アルカリ剤を含有する第１剤と、過酸化水素を含有する第２剤を充填することができる。
【００１６】
冠着部１０の側面には、該冠着部１０を第１のエアゾール容器３ａと第２のエアゾール容器３ｂに冠着させた場合に、これらのエアゾール容器３ａ、３ｂの並設方向に突出した一対の突部１１が形成されており、また釦部２０の側壁には、該釦部２０を冠着部１０に取り付けた場合に、冠着部１０の突部１１に対応する位置に孔２１があいている。したがって、釦部２０を冠着部１０に取り付けることにより、冠着部１０の突部１１と釦部２０の孔２１とが掛合し、これら２つの掛合部を結ぶ直線Ｌ１を回転中心として、図１又は図２に矢印で示したように、釦部２０は傾倒可能となる。なお、この傾倒の程度は、図２（ｂ）に示すように、釦部２０の下端がエアゾール容器の外壁にぶつかることにより規制される。
【００１７】
釦部２０は、冠着部１０に取り付けられることにより、第１のエアゾール容器３ａと第２のエアゾール容器３ｂのそれぞれのステム４に嵌合するキャップ部２２を有する。キャップ部２２の上部の釦部２０と櫛歯部３０との間には、第１のエアゾール容器３ａと第２のエアゾール容器３ｂのそれぞれから吐出され、流路２３を通って流入した内容物を混合し、櫛歯部３０の各櫛歯内の吐出路３３に分配する混合分配室２４が形成されている。
【００１８】
櫛歯部３０は、複数の板状櫛歯３１が該板状櫛歯３１の厚み方向に列設されたものからなり、その基部裏面３２が、釦部２０の混合分配室２４を蓋するように釦部２０に装着される。したがって、ステム４の起立方向と板状櫛歯３１の櫛歯面とは略平行となり、前述の、釦部２０の傾倒の回転中心となる直線Ｌ１は、板状櫛歯３１の櫛歯面に垂直な一直線となる。
【００１９】
なお、本発明において、板状櫛歯とは、その厚み方向に比べて幅方向の面積が十分に大きい平板状の高剛性材料からなる櫛歯をいう。
【００２０】
また、板状櫛歯３１は、その起立方向がステム４の起立方向に対して斜めに設けられている。この板状櫛歯３１の起立方向とステム４の起立方向とがなす角度θは３０〜６０°とすることが好ましい（図２（ａ）参照）。これにより、図中、板状櫛歯３１の上側となる側辺３５を頭皮に密着させた状態でもエアゾール容器３ａ、３ｂの本体を握るのに支障なく、その状態で毛髪化粧料を吐出させ、あるいは毛髪を梳かすことができる。
【００２１】
板状櫛歯３１には、混合分配室２４に連通した吐出路３３と該吐出路３３の開口端である吐出孔３４が形成されている。
【００２２】
この毛髪化粧料吐出容器１Ａにおいて、エアゾール容器３ａ、３ｂに、それぞれ毛髪化粧料の第１剤と第２剤を充填し、さらに圧縮空気、ＬＰＧ、窒素ガス等の噴射剤を充填したものが本発明の毛髪化粧料塗布具となる。
【００２３】
毛髪化粧料塗布具の使用時には、櫛歯部３０で毛髪を梳かす際に、釦部２０を図１又は図２に示した矢印のように傾倒させると、第１剤と第２剤のエアゾール容器３ａ、３ｂのステム４は、同時に双方とも同じ角度だけ傾くので、容易に双方の剤を安定的に等量ずつ吐出させることができる。また、頭に櫛歯部３０の先端を軽く当てるだけで、てこの原理により直線Ｌ１を支点として釦部２０が傾倒し、それによりステム４が傾倒するので、軽い力で毛髪化粧料の第１剤と第２剤を同時に吐出させることができる。したがって、この毛髪化粧料塗布具によれば、ステム４を押し下げるために釦を押圧する操作をすることなく、毛髪をとかしつつ、簡便に、第１剤と第２剤を吐出させることができる。また、この毛髪化粧料塗布具は、チルトバルブを備えたエアゾール容器３ａ、３ｂ、冠着部１０、釦部２０及び櫛歯部３０の４部品からなるので、部品の組み立てとその取り外しが容易であり、毛髪化粧料塗布具の洗浄が容易となる。
【００２４】
図５は、本発明の異なる態様の毛髪化粧料吐出容器１Ｂの斜視図であり、図６はその櫛歯部付近の断面図である。この毛髪化粧料吐出容器１Ｂは、一剤形式の毛髪化粧料を吐出させるためのものであり、エアゾール容器３がチルトバルブを備えたものである点では前述の毛髪化粧料吐出容器１Ａと同様であるが、冠着部１０には１個のエアゾール容器３が冠着する。
【００２５】
また、冠着部１０の側面に形成した一対の突部１１と、釦部２０の側壁に設けた孔２１とが掛合し、これら２つの掛合部を結ぶ直線Ｌ１を回転中心として、釦部２０が矢印のように傾倒可能となっている点でも前述の毛髪化粧料吐出容器１Ａと同様であるが、釦部２０内に二剤を混合する混合分配室２４はなく、代わりにエアゾール容器３から吐出した毛髪化粧料が各板状櫛歯３１の吐出路３３に分配されるように、分配室２５が形成されている。
【００２６】
また、櫛歯部３０において、複数の板状櫛歯３１が該板状櫛歯３１の厚み方向に列設されている点では前述の毛髪化粧料吐出容器１Ａと同様であるが、板状櫛歯３１の起立方向はステム４の起立方向と平行になっている。板状櫛歯３１をこのように設けることにより、毛髪の生え際に毛髪化粧料を塗布することが容易となる。
【００２７】
図７は、さらに異なる態様の毛髪化粧料吐出容器１Ｃの上面図（ａ）と断面図（ｂ）である。この毛髪化粧料吐出容器１Ｃは、櫛歯部３０において、前述の毛髪化粧料吐出容器１Ｂに対して、板状櫛歯に代えて棒状櫛歯３１’がブラシ状に起立しており、吐出孔３６が櫛歯間に長孔形状に形成されている点が異なっている。
【００２８】
図８は、さらに異なる態様の毛髪化粧料吐出容器１Ｄの斜視図である。この毛髪化粧料吐出容器１Ｄでは、前述の毛髪化粧料吐出容器１Ａに対して、板状櫛歯３１の櫛歯面とエアゾール容器３ａ、３ｂのステム４の起立方向とが略垂直となるように、板状櫛歯３１が列設している点が異なっている。また、冠着部１０の突部１１と釦部２０の孔２１とが掛合し、板状櫛歯３１の起立方向とステム４の起立方向とを含む面に略垂直な一軸Ｌ１を回転中心として釦部２０が図中矢印で示したように傾倒する。
【００２９】
この毛髪化粧料吐出容器１Ｄにおいても釦部２０の傾倒によりチルトバルブが開き、エアゾール容器３ａ、３ｂから第１の毛髪化粧料と第２の毛髪化粧料が同時に吐出される。
【００３０】
本発明の毛髪化粧料吐出容器は、この他、種々の態様をとることができる。例えば、釦部２０上に櫛歯部３０を取り付けることにより、これらの間に混合分配室２４あるいは分配室２５が形成されるようにする他、混合分配室２４あるいは分配室２５は、櫛歯部３０内に形成してもよい。
【００３１】
【発明の効果】
本発明によれば、押し釦を押すことなくエアゾール容器から毛髪化粧料を吐出させ、同時に毛髪を梳かすことが可能となる。特に、二剤形式の毛髪化粧料を吐出させる場合、その二剤を同時に等量ずつ吐出させることが可能となる。
【図面の簡単な説明】
【図１】毛髪化粧料吐出容器の斜視図である。
【図２】毛髪化粧料吐出容器の櫛歯部付近を櫛歯面に平行な面で切った断面である。
【図３】毛髪化粧料吐出容器の断面図である。
【図４】毛髪化粧料吐出容器の構成部品の断面図である。
【図５】毛髪化粧料吐出容器の斜視図である。
【図６】毛髪化粧料吐出容器の櫛歯部付近の断面図である。
【図７】毛髪化粧料吐出容器の上面図（ａ）及び断面図（ｂ）である。
【図８】毛髪化粧料吐出容器の斜視図である。
【符号の説明】
１Ａ、１Ｂ、１Ｃ、１Ｄ  毛髪化粧料吐出容器
２    チルトバルブ
３    エアゾール容器
３ａ  第１のエアゾール容器
３ｂ  第２のエアゾール容器
４    ステム
１０    冠着部
２０    釦部
２１    孔
２４    混合分配室
３０    櫛歯部
３１    板状櫛歯
３１’  棒状櫛歯
３４    吐出孔
３６    吐出孔
【図１】
2004154459.tif 000003
【図２】
2004154459.tif 000004
【図３】
2004154459.tif 000005
【図４】
2004154459.tif 000006
【図５】
2004154459.tif 000007
【図６】
2004154459.tif 000008
【図７】
2004154459.tif 000009
【図８】
2004154459.tif 000010